(57)【要約】      （修正有）【課題】タッチペンのペン先構造を提供する。【解決手段】ペン軸を含むタッチペンのペン先構造は、ペン軸の前端にタッチ片２０、樹脂体３０、及び金属芯棒４０が取り付けられ、タッチ片２０には収容空間２１が凸設され、樹脂体３０の一端がタッチ片２０の収容空間内２１に収容され、金属芯棒４０は樹脂体３０に嵌合され、これにより、樹脂体３０がタッチ片２０の収容空間２１中に収容されて、タッチ片２０がスクリーンに接触させられる時のスクリーンに対する衝撃力を緩和する効果を有する。【選択図】図１
0003196804.tif 000002
【実用新案登録請求の範囲】
【請求項１】
ペン軸を含むタッチペンのペン先構造において、該ペン軸の前端にタッチ片、樹脂体、及び金属芯棒が取り付けられ、該タッチ片には収容空間が凸設され、該樹脂体の一端が該タッチ片の収容空間内に収容され、該金属芯棒は該樹脂体に嵌合されることを特徴とする、タッチペンのペン先構造。
【請求項２】
請求項１記載のタッチペンのペン先構造において、該樹脂体に頭部、頸部及びボデーが設けられ、該頸部は該頭部及び該ボデーに連設され、該頸部の直径は該頭部及び該ボデーの直径より小さいことを特徴とする、タッチペンのペン先構造。
【請求項３】
請求項２記載のタッチペンのペン先構造において、該樹脂体のボデーの両端にはそれぞれリブが環設され、該金属芯棒が該樹脂体に嵌合される時、該ボデーの両端のリブが該金属芯棒に嵌合し固定することを特徴とする、タッチペンのペン先構造。
【請求項４】
請求項１記載のタッチペンのペン先構造において、該金属芯棒の外縁部分に当接部が凸設され、該金属芯棒の当接部が該ペン軸内側と当接することを特徴とする、タッチペンのペン先構造。
【請求項５】
請求項１記載のタッチペンのペン先構造において、該タッチ片の収容空間に該収容空間より小さい開口が設けられたことを特徴とする、タッチペンのペン先構造。
【請求項６】
請求項１記載のタッチペンのペン先構造において、該タッチ片はプラスチック或いは硬質材料で形成されたことを特徴とする、タッチペンのペン先構造。
【請求項７】
請求項１記載のタッチペンのペン先構造において、該樹脂体は導電ゴムとされることを特徴とする、タッチペンのペン先構造。
【請求項８】
請求項２記載のタッチペンのペン先構造において、該樹脂体の頸部に面取り部が設けられたことを特徴とする、タッチペンのペン先構造。
【考案の詳細な説明】
【技術分野】
【０００１】
本考案は一種のタッチペンのペン先構造に係り、特に一種の、タッチ片、樹脂体及び金属芯棒の組合せ設計により、タッチ片がスクリーンに接触する時にスクリーンに対する衝撃力を低減し、緩衝の効果を有し、各種のタッチペン、静電容量式タッチペン或いは類似のタッチペン構造に適用されるものに関する。
【背景技術】
【０００２】
現代のテクノロジー製品は日進月歩であり、特に各メーカーのスマートホン或いはタブレットＰＣは雨後の筍のように続々と出現し、各メーカーのスマートホン或いはタブレットＰＣがいずれも有している一つの共通の特性は、「タッチスクリーン」であり、すなわち、直接スクリーン上でタッチすることでクリック或いは操作が行えることである。
【０００３】
現在、スマートホン或いはタブレットＰＣのいずれであっても、操作上、ほとんどは直接指をスライドさせるかクリックするものであるが、各個人の手指の太さは異なることにより、クリックの過程中に、その他のアイコンに接触したり二つの異なる接触点に感応し、判断上に誤差を出現させることになる。
【０００４】
市場には、多種類の形態のタッチペンが出現して操作、使用に供されており、特に、タッチペン前端にタッチ部材が設けられ、これにより「タッチスクリーン」に接触でき、タッチ部材とタッチペンの前端はスプリングで連接され、使用上、スプリングがきつ過ぎると、全ての力がタッチスクリーンに対する衝撃となり、スプリングが緩過ぎると、ぐらついて、正確な使用が行えなくなる。
【０００５】
これにより、本考案者は上述の欠点を鑑み、一種の、タッチスクリーンに接触する時のスクリーンに対する衝撃力を低減でき、緩衝効果を有するタッチペンのペン先構造を提出し、使用者が簡単に組立操作できるようにし、使用者に利便性を提供できるように研究、開発をすすめ、それが本考案の創作の動機である。
【考案の概要】
【考案が解決しようとする課題】
【０００６】
本考案の主要な目的は、一種のタッチペンのペン先構造を提供することにあり、タッチ片、樹脂体及び金属芯棒の組合せ設計により、該タッチ片に収容空間を凸設し、樹脂体の一端をタッチ片の収容空間内に置き入れ可能とし、該金属芯棒は樹脂体に嵌合し、これにより、樹脂体のタッチ片の収容空間中への置き入れにより、タッチ片がスクリーンに接触する時のスクリーンに対する衝撃力を低減して緩衝の効果を持たせ、これにより全体の実用性を増加する。
【０００７】
本考案の次の目的は、一種のタッチペンのペン先構造を提供することにあり、該樹脂体に頭部、頸部及びボデーを設け、該頸部は頭部とボデーを連接し、該頸部の直径は頭部及びボデーの直径より小さく、また、該タッチ片の収容空間部分に収容空間より小さい開口を設け、樹脂体の頭部を収容空間に挿入した後に、頸部を収容空間の開口部分より突出させて、これにより樹脂体の頭部に嵌合し、タッチ片を駆動して動作させるのに便利とし、これにより全体の使用性を増加する。
【０００８】
本考案のもう一つの目的は、一種のタッチペンのペン先構造を提供することにあり、該樹脂体のボデーの両端にそれぞれリブが設けられ、金属芯棒が樹脂体に嵌合される時に、ボデー両端のリブで金属芯棒を嵌合固定でき、該金属芯棒の外縁部分に当接部が凸設され、ペン軸の内側と当接し、該金属芯棒に樹脂体保護の機能を持たせ、これにより全体の便利性を増加する。
【課題を解決するための手段】
【０００９】
本考案のタッチペンのペン先構造は、ペン軸を含み、その特徴は、該ペン軸の前端にタッチ片、樹脂体、及び金属芯棒が取り付けられ、該タッチ片には収容空間が凸設され、樹脂体の一端が該タッチ片の収容空間内に収容され、該金属芯棒は該樹脂体に嵌合される。
【考案の効果】
【００１０】
本考案は上述の構造の特徴により、樹脂体がタッチ片の収容空間中に収容されて、タッチ片がスクリーンに接触させられる時のスクリーンに対する衝撃力を緩和する効果を有する。
【図面の簡単な説明】
【００１１】
【図１】本考案の実施例の外観表示図である。
【図２】本考案の実施例の装置分解表示図である。
【図３】本考案の実施例のペン軸組合せ表示図である。
【図４】本考案の実施例の局部拡大表示図である。
【図５】本考案の実施例の使用状態表示図である。
【考案を実施するための形態】
【００１２】
図１〜図４を参照されたい。それらは本考案の実施例の表示図である。本考案のタッチペンのペン先構造の最良の実施方式は、静電容量式タッチパネル上或いはその他の各種のタッチパネル５０上のタッチコントロールに運用される。本考案はペン軸１０を含み（図３に示されるとおり）、該ペン軸１０の後端にはクリップ（図示せず）を加えてもよく、クリップにより物品を挟み付ける或いは掛け置いて、収納に便利な機能を持たせることができる。また、該ペン軸１０の前端には、タッチ片２０、樹脂体３０及び金属芯棒４０が取り付けられ（図２に示されるとおり）、そのうち、該タッチ片２０には収容空間２１が凸設され、該収容空間２１には収容空間２１より小さい開口２２が設けられ、且つ該タッチ片２０はプラスチック或いは硬質の材質とされ、これによりタッチ片２０でタッチパネル５０上に接触できる。
【００１３】
該樹脂体３０には頭部３１、頸部３２及びボデー３３が設けられ、該樹脂体３０はゴム、プラスチック或いはスポンジのいずれか一種類とされるか、或いは導電機能を有する導電ゴムとされて多種類の使用態様を有し得るものとされる。また、該樹脂体３０の頸部３２は頭部３１とボデー３３に連設され、該頸部３２の直径は頭部３１及びボデー３３の直径より小さく、且つ頸部３２のボデー３３に近い部分に面取り部（図４参照）が設けられ、支持力が強化され、頸部３２部分が折れ曲がりにくくされ、また、樹脂体３０の一端である頭部３１はタッチ片２０の収容空間２１より小さい開口２２部分を通過して収容空間２１内に置き入れ可能で（図１に示されるとおり）、樹脂体３０の頭部３１は収容空間２１内に置き入れられた後に、頸部３２により収容空間２１の開口２２部分より突出し、且つタッチ片２０の収容空間２１を以て樹脂体３０の頭部３１に嵌合され、並びに樹脂体３０の頭部３１によりタッチ片２０を駆動し作動させられる。
【００１４】
さらに、該金属芯棒４０は樹脂体３０に嵌合され、且つ金属芯棒４０は中空管体とされて、樹脂体３０は金属芯棒４０に貫設され、該樹脂体３０のボデー３３の両端にそれぞれリブ３３１が環設され、これにより樹脂体３０のボデー３３中間の直径は樹脂体３０の両端のリブ３３１の直径より小さくされ（図２に示されるとおり）、これにより、金属芯棒４０に樹脂体３０が貫設されるとき、該樹脂体３０のボデー３３の両端のリブ３３１が金属芯棒４０と嵌合固定され、一方で樹脂体３０を保護し、もう一方で樹脂体３０を固定し、操作上、より便利としている。
【００１５】
また、該金属芯棒４０の外縁部分に当接部４１が凸設され、該金属芯棒４０の当接部４１はペン軸１０の内側と当接し、金属芯棒４０とペン軸１０がしっかりと結合され、これにより、ペン軸１０前端のタッチ片２０がタッチパネル５０に接触するとき、タッチ片２０内の樹脂体３０の頭部３１によりタッチパネル５０に対する衝撃力が低減され、タッチスリーンの使用寿命が延長され、且つ該樹脂体３０の頸部３２は４０度角まで折り曲げ可能で（図４に示されるとおり）、本考案が使用及び操作に便利な機能を具えたものとされる。
【００１６】
以上の詳細な説明により、当業者は本考案を明確に理解して前述の目的を達成でき、本考案は実用新案登録の要件を満たす。
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１７】
１０  ペン軸
２０  タッチ片
２１  収容空間
２２  開口
３０  樹脂体
３１  頭部
３２  頸部
３３  ボデー
３３１  リブ
４０  金属芯棒
４１  当接部
５０  タッチパネル
【図１】
0003196804.tif 000003
【図２】
0003196804.tif 000004
【図３】
0003196804.tif 000005
【図４】
0003196804.tif 000006
【図５】
0003196804.tif 000007